(57)【特許請求の範囲】
【請求項１】
第１の面にスイッチ機構を操作する操作子が配置され、前記第１の面と直交する第２の面と、前記第２の面と平行する第３の面に弾性を有する第１の係合部が配置されたスイッチ本体と、
前記操作子を覆う開閉可能なカバーを有し、前記スイッチ本体に装着された状態において、前記第１の係合部と係合される第２の係合部を有する枠体と
を具備し、前記スイッチ本体は、前記第１の面を覆う金属製のカバーを有し、前記第１の係合部は、前記金属製のカバーの一部により構成されることを特徴とするカバー付スイッチ装置。
【請求項２】
前記枠体は、前記スイッチ本体を収容可能な収容部を有し、前記第２の係合部は、前記収容部の内壁に設けられた突部であることを特徴とする請求項１記載のカバー付スイッチ装置。
【請求項３】
前記枠体に設けられ、前記スイッチ本体の前記第１の面に係合可能な少なくとも２つの第３の係合部と、を具備することを特徴とする請求項２記載のカバー付スイッチ装置。
【発明の詳細な説明】
【技術分野】
【０００１】
本発明の実施形態は、スイッチの不正操作や誤操作を防止することが可能なカバー付スイッチ装置に関する。
【背景技術】
【０００２】
例えばアミューズメント装置の動作を設定するために押し釦スイッチが用いられている（例えば特許文献１参照）。押し釦スイッチの操作子は、スイッチ本体から露出されている。このため、操作子が不用意に操作されたり、不正に操作されたりすることがある。
【先行技術文献】
【特許文献】
【０００３】
【特許文献１】特開２００３−２５７２７１号公報
【発明の概要】
【発明が解決しようとする課題】
【０００４】
スイッチの誤操作や不正操作を防止するため、スイッチ本体に設けられ、操作子を覆うカバーが開発されている。
【０００５】
この種のカバーは、カバーが開閉可能に設けられた例えば樹脂製の枠体がスイッチ本体に装着された状態において、枠体が例えば超音波溶着のような手段を用いて熱カシメにより固定される。この熱カシメは製造工数が多く、さらに、十分な固定強度を得ることができなかった。
【０００６】
本発明の実施形態は、スイッチ本体に容易且つ十分な強度でカバーを取り付けることが可能なカバー付スイッチ装置を提供する。
【課題を解決するための手段】
【０００７】
本実施形態のカバー付スイッチ装置は、第１の面にスイッチ機構を操作する操作子が配置され、前記第１の面と直交する第２の面と、前記第２の面と平行する第３の面に弾性を有する第１の係合部が配置されたスイッチ本体と、前記操作子を覆う開閉可能なカバーを有し、前記スイッチ本体に装着された状態において、前記第１の係合部と係合される第２の係合部を有する枠体とを具備し、前記スイッチ本体は、前記第１の面を覆う金属製のカバーを有し、前記第１の係合部は、前記金属製のカバーの一部により構成される。
【図面の簡単な説明】
【０００８】
【図１】本実施形態に係るカバー付スイッチ装置を示す斜視図。
【図２】図１に示すカバー付スイッチ装置のカバーを開けた状態を示す斜視図。
【図３】図１を分解して示す斜視図。
【図４】図３をさらに分解して示す斜視図。
【図５】図１のＶ-Ｖ線に沿って示す断面図。
【図６】図５のＣ部を拡大して示す断面図。
【発明を実施するための形態】
【０００９】
以下、実施の形態について、図面を参照して説明する。
【００１０】
図面において、同一部分には同一符号を付している。
【００１１】
（構成）
図１、図２に示すように、カバー付スイッチ装置１０は、図２に示すスイッチ本体１１と、スイッチ本体１１に装着された保護カバー１２とにより構成されている。保護カバー１２は、枠体１３と、カバー１４と、弾性部材としてのコイルばね、例えばねじりばね１５により構成されている。
【００１２】
カバー１４は、例えば熱可塑性の樹脂により構成され、カバー１４の一端部は、枠体１３に図示矢印Ａ、Ｂ方向に回動可能に取着されている。カバー１４は、枠体１３の一端部に設けられたねじりばね１５により、常時閉じる方向（図示矢印Ａ方向）に付勢されている。
【００１３】
図２に示すように、カバー１４は、枠体１３に対して１８０°回動することが可能とされており、カバー１４を開放した状態において、スイッチ本体１１を操作することが可能とされている。
【００１４】
図３に示すように、スイッチ本体１１は、例えば押し釦スイッチ（タクタルスイッチ）である。スイッチ本体１１は、ハウジング１６、例えば金属製のカバー１７、押し釦としての操作子１８、複数の端子１９ａ、１９ｂ、１９ｃ、１９ｄ（１９ｄは、図５に示す）などを具備している。カバー１７は、ハウジング１６を覆い、ハウジング１６内には、後述するスイッチ機構が収容される。スイッチ機構は、操作子１８により操作される。
【００１５】
スイッチ本体１１は、第１の面（カバー１７の表面）１１aと、第１の面１１aと直交する第２の面１１ｂ、第３の面１１ｃ、第４の面１１ｄ、第５の面１１ｅ（ハウジング１６の４つの側面）、及び第１の面と平行する第６の面１１ｆ（ハウジング１６の下面）を有している。第２の面１１ｂは、第３の面１１ｃに平行し、第４の面１１ｄは、第５の面１１ｅと平行し、第６の面１１ｆは、第１の面１１ａに平行している。
【００１６】
第１の面１１ａには、金属製のカバー１７が設けられ、カバー１７の中央部に操作子１８が配置されている。保護カバー１２は、スイッチ本体１１の第１の面１１ａに装着され、操作子１８を覆う。図１、図２、図３に示すように、端子１９ａ、１９ｂは、スイッチ本体１１の第４の面１１ｄに設けられ、端子１９ｃ、１９ｄ（図示せず）は、第５の面１１ｅに設けられている。
【００１７】
図４に示すように、ハウジング１６は、収容部１６ａを有している。収容部１６ａ内には、スイッチ機構ＳＷを構成する第１の固定接点２０、第２の固定接点２１、第３の固定接点２２、可動接片としてのコンタクト２３、シールゴム２４、スペーサ２５、操作子１８が配置される。
【００１８】
すなわち、収容部１６ａの底部且つ中央部には、第１の固定接点２０が設けられ、収容部１６ａの底部且つ第４の面１１ｄ、第５の面１１ｅの近傍には、第２の固定接点２１、第３の固定接点２２が設けられている。第１の固定接点２０は、例えば端子１９ｂ、１９ｃに接続され、第２、第３の固定接点２１、２２は、例えば端子１９ａ、１９ｄに接続されている。
【００１９】
コンタクト２３は、例えばドーム状の導電性金属により構成され、収容部１６ａ内に収容された状態において、周囲の一部が第２、第３の固定接点２１、２２に接触され、中央部が、第１の固定接点２０から所定間隔離間される。
【００２０】
図４、図５に示すように、コンタクト２３の上にシールゴム２４が載置され、シールゴム２４の周縁上にリング状のスペーサ２５が載置される。操作子１８は、スペーサ２５内のシールゴム２４上に載置される。操作子１８は、底部中央部に突起１８ａを有している。突起１８ａはシールゴム２４を介してコンタクト２３の中央部上に配置される。
【００２１】
スイッチ機構ＳＷは、操作子１８が押されると、突起１８ａによりコンタクト２３の中央部がコンタクト２３の有する弾性に抗して押し下げられ、第１の固定接点２０に接触される。このため、第１の固定接点２０と第２、第３の固定接点２１、２２が電気的に接続され、スイッチがオン状態となる。また、コンタクト２３が湾曲される際、クリックが発生する。この状態より、操作子１８に対する押圧力を解除すると、コンタクト２３は、その弾性により元のドーム状に復帰する。このため、コンタクト２３は第１の固定接点２０と非接触状態となり、スイッチは、オフ状態に復帰する。
【００２２】
金属製のカバー１７は、中央部に操作子１８が挿通され可能な開口部１７ａを有している。カバー１７のスイッチ本体１１の第２の面１１ｂ側及び第３の面１１ｃ側の辺には、図３、図４に示すように、カバー１７をハウジング１６に固定するための複数の係合部１７ｂ、１７ｃ、１７ｄ、１７ｅが設けられている。これら係合部１７ｂ、１７ｃ、１７ｄ、１７ｅは、ハウジング１６に設けられた複数の爪部１６ｂ、１６ｃ（１６ｂ、１６ｃは、図示せず）、１６ｄ、１６ｅにそれぞれ係合可能とされている。
【００２３】
さらに、カバー１７は、図５に示すように保護カバー１２をスイッチ本体１１に取着するための第１の係合部１７ｆ、１７ｇを有している。図３、図５に示すように、第１の係合部１７ｆは、係合部１７ｂ、１７ｃの間に設けられ、第１の係合部１７ｇは、係合部１７ｄ、１７ｅの間に設けられている。第１の係合部１７ｆ、１７ｇは、先端がハウジング１６の第２の面１１ｂ、第３の面１１ｃから離れるように折曲され、弾性を有している。
【００２４】
図４、図５に示すように、保護カバー１２の枠体１３は、スイッチ本体１１を収容可能な収容部１３ａを有し、収容部１３ａの内壁に第１の係合部１７ｆ、１７ｇに係合可能な第２の係合部としての突部１３ｂ、１３ｃを有している。
【００２５】
さらに、保護カバー１２の枠体１３は、収容部１３ａの４隅に、スイッチ本体１１の第１の面１１ａの四隅に当接可能な第３の係合部１３ｄ、１３ｅ、１３ｆ、１３ｇが設けられている。
【００２６】
上記構成において、図３に示すように、スイッチ本体１１と保護カバー１２は、それぞれ別に組み立てられる。この後、組み立てられたスイッチ本体１１に組み立てられた保護カバー１２が装着される。すなわち、保護カバー１２がスイッチ本体１１の第１の面１１ａ側からスイッチ本体１１に装着される。
【００２７】
具体的には、図５、図６に示すように、保護カバー１２の枠体１３の収容部１３ａ内にスイッチ本体１１が収容される。このとき、枠体１３の内壁に設けられた第２の係合部としての突部１３ｂ、１３ｃが第１の係合部１７ｆ、１７ｇの弾性に抗して進み、突部１３ｂ、１３ｃが第１の係合部１７ｆ、１７ｇの先端を越えると、第１の係合部１７ｆ、１７ｇが、元の形状に復帰し、図５、図６に示すように、第１の係合部１７ｆ、１７ｇの先端が突部１３ｂ、１３ｃに係合される。このため、保護カバー１２は、スイッチ本体１１に対して固定される。このとき、スイッチ本体１１の第１の面１１ａの四隅は、枠体１３の四隅に設けられた第３の係合部１３ｄ、１３ｅ、１３ｆ、１３ｇに当接される。このため、保護カバー１２は、スイッチ本体１１に対してがたつくことなく固定される。
【００２８】
上記実施形態によれば、スイッチ本体１１は、弾性を有する第１の係合部１７ｆ、１７ｇを有し、保護カバー１２の枠体１３は、第１の係合部１７ｆ、１７ｇに係合可能な第２の係合部としての突部１３ｂ、１３ｃを有し、保護カバー１２をスイッチ本体１１に嵌め込むだけで、保護カバー１２の突部１３ｂ、１３ｃがスイッチ本体１１の第１の係合部１７ｆ、１７ｇに係合し、保護カバー１２をスイッチ本体１１に対して固定することができる。このため、熱カシメの場合に比べて設備コストを削減できるとともに、組み立てが容易であるため、組み立て工数を削減することが可能である。
【００２９】
また、保護カバー１２により、スイッチ本体１１の操作子１８を覆っているため、本カバー付スイッチ装置１０がアミューズメント装置の基板に装着された状態において、誤操作や、針金などを用いた不正操作を防止することが可能である。
【００３０】
しかも、スイッチ本体１１の金属製の第１の係合部１７ｆ、１７ｇが保護カバー１２の突部１３ｂ、１３ｃに係合しているため、熱カシメの場合に比べて十分な強度で保護カバー１２をスイッチ本体１１に固定することができる。このため、保護カバー１２がスイッチ本体１１から容易に脱落することを防止できる。したがって、本カバー付スイッチ装置１０がアミューズメント装置の基板に装着された状態において、針金などを用いて保護カバー１２を取り外すことが困難であり、不正操作を防止することが可能である。
【００３１】
さらに、保護カバー１２の枠体１３に設けられた収容部１３ａの四隅に設けられた第３の係合部１３ｄ、１３ｅ、１３ｆ、１３ｇは、保護カバー１２がスイッチ本体１１に取着された状態において、スイッチ本体１１の第１の面１１ａの四隅に当接している。このため、保護カバー１２がスイッチ本体１１に対してがたつくことを防止でき、十分な強度で、保護カバー１２をスイッチ本体１１に固定することができる。
【００３２】
また、第１の係合部１７ｆ、１７ｇは、スイッチ本体１１の第１の面１１ａと交差する第２の面１１ｂと、第２の面１１ｂに平行する第３の面１１ｃに設けられ、第２の係合部としての突部１３ｂ、１３ｃは、保護カバー１２の枠体１３の内壁に設けられている。このため、例えばスイッチ本体１１のみを基板に実装した後、スイッチ本体１１に保護カバー１２を嵌め込むだけで、保護カバー１２をスイッチ本体１１に装着することができる。
【００３３】
したがって、例えばスイッチ本体１１のみを基板に実装した後、基板を洗浄し、この後、保護カバー１２をスイッチ本体１１に装着することができる。このように、基板を洗浄した後、保護カバー１２をスイッチ本体１１に装着することにより、保護カバー１２内に洗浄剤が残るなどの不都合を防止することが可能である。
【００３４】
尚、第１の係合部１７ｆ、１７ｇは、カバー１７と一体的に設けられ、スイッチ本体１１の第１の面１１ａと直交する第２の面１１ｂと、第２の面１１ｂと平行する第３の面１１ｃに配置した。しかし、これに限定されるものではなく、例えばハウジング１６の第２の面１１ｂと、第３の面１１ｃに例えば第１の係合部としての凹部を設け、保護カバー１２の枠体１３の内壁に、凹部に係合可能な第２の係合部としての突部を設ける構成としてもよい。
【００３５】
また、第３の係合部１３ｄ、１３ｅ、１３ｆ、１３ｇは、枠体１３の四隅に設けたが、これに限らず、少なくとも対向する２つの隅に設ければよい。
【００３６】
その他、本発明は上記実施形態そのままに限定されるものではなく、実施段階ではその要旨を逸脱しない範囲で構成要素を変形して具体化できる。また、上記実施形態に開示された複数の構成要素の適宜な組み合わせにより、種々の発明を形成できる。例えば、実施形態に示される全構成要素から幾つかの構成要素を削除してもよい。さらに、実施形態にわたる構成要素を適宜組み合わせてもよい。
【符号の説明】
【００３７】
１０…カバー付スイッチ装置、１１…スイッチ本体、１２…保護カバー、１３…枠体、１４…カバー、１７…金属製のカバー、１７ｆ、１７ｇ…第１の係合部、１３ｂ、１３ｃ…突部（第２の係合部）、１３ｄ、１３ｅ、１３ｆ、１３ｇ…第３の係合部、１８…操作子、ＳＷ…スイッチ機構。
【図１】
0006746392.tif 000002
【図２】
0006746392.tif 000003
【図３】
0006746392.tif 000004
【図４】
0006746392.tif 000005
【図５】
0006746392.tif 000006
【図６】
0006746392.tif 000007